(57)【要約】【課題】調光パターンの再生開始時点における急激な光出力の変化を抑制しつつ調光パターンの終期に遅れが生じないようにする。【解決手段】制御部１は、記憶部４に記憶されている調光パターンを読み出して照明負荷ＬＡ，ＬＢを調光する際、調光パターンの始期における第１の調光段階と、調光パターンの終期における第２の調光段階と、調光パターンの調光を開始する直前の第３の調光段階とを比較する。第３の調光段階が第１の調光段階と第２の調光段階の間にある場合、制御部１は、始期より調光パターンの調光段階が第３の調光段階と一致する時点までは調光パターンに関係なく照明負荷ＬＡ，ＬＢを第３の調光段階で調光し、且つ前記時点以降は調光パターンに従って調光段階を変化させるように給電量調整部２Ａ，２Ｂを制御する。【選択図】        図１
2011082107.tif 000002
【特許請求の範囲】
【請求項１】
照明負荷を調光する照明調光装置であって、
電源から照明負荷に給電される給電量を調整する給電量調整手段と、少なくとも照明負荷の調光段階を決定するための操作入力を受け付ける操作入力受付手段と、１乃至複数の調光パターンを記憶する記憶手段と、前記操作入力によって決定される調光段階及び前記調光パターンの調光段階に対応した光出力となるように給電量調整手段を制御して照明負荷への給電量を調整させる制御手段とを備え、
調光パターンは、始期から終期に至るまでの経過時間と単調増加若しくは単調減少する調光段階との対応関係を示しており、
制御手段は、記憶手段に記憶されている調光パターンを読み出して照明負荷を調光する際、当該調光パターンの始期における第１の調光段階と、当該調光パターンの終期における第２の調光段階と、当該調光パターンの調光を開始する直前の第３の調光段階とを比較し、第３の調光段階が第１の調光段階と第２の調光段階の間にある場合、前記始期より前記調光パターンの調光段階が第３の調光段階と一致する時点までは当該調光パターンに関係なく照明負荷を第３の調光段階で調光し、且つ前記時点以降は前記調光パターンに従って調光段階を変化させるように給電量調整手段を制御することを特徴とする照明調光装置。
【請求項２】
外部からトリガ信号を受信するトリガ信号受信手段を備え、
制御手段は、トリガ信号受信手段がトリガ信号を受信した場合に記憶手段に記憶されている調光パターンを読み出して照明負荷を調光することを特徴とする請求項１記載の照明調光装置。
【請求項３】
上限値と下限値を含む全ての調光段階で調光する試験用の調光パターンが記憶手段に記憶されており、
制御手段は、操作入力受付手段で試験開始の操作入力が受け付けられた場合、記憶手段から前記試験用の調光パターンを読み出し、第３の調光段階に関わらず、当該試験用の調光パターンで照明負荷を調光することを特徴とする請求項１又は２記載の照明調光装置。
【請求項４】
外部からトリガ信号を受信するトリガ信号受信手段を備え、
制御手段は、試験用の調光パターンで照明負荷を調光しているときにトリガ信号受信手段がトリガ信号を受信した場合、当該試験用の調光パターンによる照明負荷の調光を中止することを特徴とする請求項３記載の照明調光装置。
【請求項５】
それぞれに異なる照明負荷への給電量を調整する複数の前記給電量調整手段を備え、
制御手段は、全ての照明負荷が消灯状態のときに全ての給電量調整手段を停止させることを特徴とする請求項１〜４の何れか１項に記載の照明調光装置。
【発明の詳細な説明】
【技術分野】
【０００１】
本発明は、照明負荷を調光する照明調光装置に関するものである。
【背景技術】
【０００２】
従来、白熱灯や発光ダイオードなどの照明負荷を調光する照明調光装置が提供されている。照明負荷を調光する目的は様々であり、例えば、特許文献１や特許文献２に記載されている従来例では、照明負荷を種々のパターン（調光パターン）で調光することによって演出効果を得ることを目的としている。また、特許文献３に記載されている従来例では、起床設定時刻の所定時刻前から照明負荷を漸増光して、使用者の睡眠の深さをゆっくりと浅くすることで快適な目覚めを促したり、時間経過とともに照明負荷を漸減光して、使用者の睡眠を誘導するといったことを目的としている。尚、調光パターンとは、始期から終期に至るまでの経過時間と調光段階との対応関係を示しており、以下では、調光パターンに従って照明負荷を調光することを「調光パターンの再生」と表現する。
【０００３】
ここで、任意の調光パターンで照明負荷を調光する際、調光パターンの再生開始直前の調光比（定格点灯時を１００％としたときの光出力比）と、調光パターンの再生開始時点（始期）の調光比とが大きく異なっている場合、調光パターンの再生を開始したときに照明負荷の光出力が急激に変化することで使用者が違和感を覚えることがある。そのために特許文献２に記載されている従来例では、上述のような場合に調光パターンの再生開始直前の調光比から調光パターンの再生開始時点の調光比まで徐々に調光比を変化させるようにしている。
【先行技術文献】
【特許文献】
【０００４】
【特許文献１】特開２００１−２９７８８６号公報
【特許文献２】特開平９−４５４８１号公報
【特許文献３】特開２００５−３３４２８３号公報
【発明の概要】
【発明が解決しようとする課題】
【０００５】
特許文献２に記載されている従来例によれば、調光パターンの再生開始直前の調光比から調光パターンの再生開始時点の調光比まで徐々に調光比を変化させることで使用者に違和感を覚えさすことを回避できる。しかしながら、特許文献２に記載されている従来例では、調光パターンの再生を開始するイベント（例えば、使用者による操作入力の受け付けやタイマの設定時刻と現在時刻が一致したことなど）が発生したタイミングと、調光パターンの開始タイミング（始期）との間にずれ（遅れ）が生じてしまう。この場合、調光パターンの開始タイミング（始期）が遅れることで終了タイミング（終期）にも遅れが生じてしまい、特に特許文献３に記載されている従来例のように睡眠や目覚めを誘導する目的においては、睡眠や目覚めを誘導するための時間が長くなってしまうという不都合が生じる。
【０００６】
本発明は上記事情に鑑みて為されたものであり、その目的は、調光パターンの再生開始時点における急激な光出力の変化を抑制しつつ調光パターンの終期に遅れが生じない照明調光装置を提供することにある。
【課題を解決するための手段】
【０００７】
請求項１の発明は、上記目的を達成するために、照明負荷を調光する照明調光装置であって、電源から照明負荷に給電される給電量を調整する給電量調整手段と、少なくとも照明負荷の調光段階を決定するための操作入力を受け付ける操作入力受付手段と、１乃至複数の調光パターンを記憶する記憶手段と、前記操作入力によって決定される調光段階及び前記調光パターンの調光段階に対応した光出力となるように給電量調整手段を制御して照明負荷への給電量を調整させる制御手段とを備え、調光パターンは、始期から終期に至るまでの経過時間と単調増加若しくは単調減少する調光段階との対応関係を示しており、制御手段は、記憶手段に記憶されている調光パターンを読み出して照明負荷を調光する際、当該調光パターンの始期における第１の調光段階と、当該調光パターンの終期における第２の調光段階と、当該調光パターンの調光を開始する直前の第３の調光段階とを比較し、第３の調光段階が第１の調光段階と第２の調光段階の間にある場合、前記始期より前記調光パターンの調光段階が第３の調光段階と一致する時点までは当該調光パターンに関係なく照明負荷を第３の調光段階で調光し、且つ前記時点以降は前記調光パターンに従って調光段階を変化させるように給電量調整手段を制御することを特徴とする。
【０００８】
請求項１の発明によれば、調光パターンの再生開始時点における急激な光出力の変化を抑制しつつ調光パターンの終期に遅れが生じない。
【０００９】
請求項２の発明は、請求項１の発明において、外部からトリガ信号を受信するトリガ信号受信手段を備え、制御手段は、トリガ信号受信手段がトリガ信号を受信した場合に記憶手段に記憶されている調光パターンを読み出して照明負荷を調光することを特徴とする。
【００１０】
請求項２の発明によれば、本発明に係る照明調光装置を他のシステムに容易に組み込むことができる。
【００１１】
請求項３の発明は、請求項１又は２の発明において、上限値と下限値を含む全ての調光段階で調光する試験用の調光パターンが記憶手段に記憶されており、制御手段は、操作入力受付手段で試験開始の操作入力が受け付けられた場合、記憶手段から前記試験用の調光パターンを読み出し、第３の調光段階に関わらず、当該試験用の調光パターンで照明負荷を調光することを特徴とする。
【００１２】
請求項３の発明によれば、正常に動作するか否かを容易に確認することができる。
【００１３】
請求項４の発明は、請求項３の発明において、外部からトリガ信号を受信するトリガ信号受信手段を備え、制御手段は、試験用の調光パターンで照明負荷を調光しているときにトリガ信号受信手段がトリガ信号を受信した場合、当該試験用の調光パターンによる照明負荷の調光を中止することを特徴とする。
【００１４】
請求項４の発明によれば、不用意に行われた動作試験（試験用の調光パターンによる照明負荷の調光）を強制的に中止することができる。
【００１５】
請求項５の発明は、請求項１〜４の何れか１項の発明において、それぞれに異なる照明負荷への給電量を調整する複数の前記給電量調整手段を備え、制御手段は、全ての照明負荷が消灯状態のときに全ての給電量調整手段を停止させることを特徴とする。
【００１６】
請求項５の発明によれば、全ての照明負荷が消灯しているときの電力消費を削減することができる。
【発明の効果】
【００１７】
本発明によれば、調光パターンの開始時点における急激な光出力の変化を抑制しつつ調光パターンの終期に遅れが生じないという効果がある。
【図面の簡単な説明】
【００１８】
【図１】本発明の実施形態１を示すブロック図である。
【図２】（ａ）〜（ｄ）は同上における給電量調整部の動作説明用の波形図である。
【図３】同上の外観図である。
【図４】同上における調光比と調光段階の関係を説明するための説明図である。
【図５】同上における第１のデータテーブルの説明図である。
【図６】同上における第２のデータテーブルの説明図である。
【図７】（ａ），（ｂ）は同上における調光パターンの説明図である。
【図８】（ａ）〜（ｄ）は同上の調光パターンの再生動作を説明するための説明図である。
【図９】同上の調光パターンの再生動作を説明するためのフローチャートである。
【図１０】（ａ），（ｂ）は同上の調光パターンの再生動作を説明するための説明図である。
【図１１】本発明の実施形態２を示すブロック図である。
【図１２】本発明の実施形態３を示すブロック図である。
【図１３】同上における試験用の調光パターンの説明図である。
【図１４】同上における動作モードの状態遷移図である。
【図１５】従来例における調光パターンの再生動作を説明するための説明図である。
【発明を実施するための形態】
【００１９】
以下、特許文献３に記載されているように照明光を利用して使用者の睡眠や覚醒を誘導するための照明調光装置に本発明の技術思想を適用した実施形態について説明する。但し、本発明の技術思想が適用可能な照明調光装置は、睡眠や覚醒の誘導を目的とするものに限定されない。
【００２０】
（実施形態１）
本実施形態の照明調光装置Ａは、図１に示すように商用交流電源ＡＣから照明負荷ＬＡ，ＬＢに給電される給電量を調整する２つの給電量調整部２Ａ，２Ｂと、照明負荷ＬＡ，ＬＢの調光段階を決定するための操作入力等を受け付ける操作入力受付部３と、１乃至複数の調光パターンを記憶する記憶部４と、操作入力によって決定される調光段階及び調光パターンの調光段階に対応した光出力となるように給電量調整部２Ａ，２Ｂを制御して照明負荷ＬＡ，ＬＢへの給電量を調整させる制御部１と、種々の表示を行う表示部５とを備えている。本実施形態では照明負荷ＬＡ，ＬＢを白熱灯としているが、これに限定する趣旨ではなく、発光ダイオードや有機ＥＬ素子、あるいは蛍光ランプ等を照明負荷とすることも可能である。
【００２１】
給電量調整部２Ａ，２Ｂは、商用交流電源ＡＣから照明負荷ＬＡ，ＬＢへの給電路に挿入されたスイッチング素子（図示せず）の導通期間（交流電圧の位相角）を制御することで給電量を調整する、いわゆる位相角制御方式の調光回路で構成されている。すなわち、商用交流電源ＡＣの電源電圧（図２（ａ）参照）のゼロクロス点（図２（ｂ）参照）を検出し、ゼロクロス点から電源電圧の半周期以下のオン時間ontime[x]だけスイッチング素子を導通（オン）することにより（図２（ｃ）参照）、商用交流電源ＡＣから照明負荷ＬＡ，ＬＢへの給電量（入力電流の流れる期間）を調整している（図２（ｄ）参照）。但し、このような位相角制御方式の調光回路は従来周知であるから、詳細な回路構成や動作についての図示並びに説明は省略する。
【００２２】
操作入力受付部３は、押釦スイッチなどを有し、押釦スイッチのオン／オフによって使用者の種々の操作入力を受け付けて制御部１に渡している。記憶部４は電気的に書換可能な不揮発性の半導体メモリ（フラッシュメモリやＥＥＰＲＯＭなど）からなり、後述するように調光パターンのデータ等を記憶している。表示部５は、発光ダイオード等の表示素子並びに当該表示素子の駆動回路を有している。
【００２３】
図３は操作入力受付部３と表示部５の外観を示す平面図である。操作入力受付部３は、アップキーＵＫとダウンキーＤＫの対を１組とする合計４組のスイッチ部を具備している。アップキーＵＫ１とダウンキーＤＫ１からなる第１のスイッチ部は一方の照明負荷ＬＡの調光比（調光段階）を設定するためのものであり、アップキーＵＫ２とダウンキーＤＫ２からなる第２のスイッチ部は他方の照明負荷ＬＢの調光比（調光段階）を設定するためのものである。そして、アップキーＵＫ１，ＵＫ２が押操作される毎に調光比が上昇して光出力が増大し、ダウンキーＤＫ１，ＤＫ２が押操作される毎に調光比が下降して光出力が減少する。尚、第１および第２のスイッチ部の近傍には、表示部５が有する各々５個の発光ダイオード（表示素子）ＬＤ１１〜ＬＤ１５，ＬＤ２１〜ＬＤ２５が縦方向に等間隔で並設されており、調光比が上昇するにつれて発光する発光ダイオードＬＤ１１〜ＬＤ１５，ＬＤ２１〜ＬＤ２５の個数を下から順番に増やすことで調光比を大まかに表示している。アップキーＵＫ３とダウンキーＤＫ３からなる第３のスイッチ部は後述する調光パターンを選択するためのものであって、アップキーＵＫ３又はダウンキーＤＫ３が押操作される毎に３種類の調光パターンのうちの１つが選択される。尚、３種類の調光パターンに対応して表示部５の３個の発光ダイオード（表示素子）ＬＤ３１〜ＬＤ３３が第３のスイッチ部の近傍に配設されており、選択された調光パターンに対応する発光ダイオードＬＤ３１〜ＬＤ３３のみが発光するようになっている。アップキーＵＫ４とダウンキーＤＫ４からなる第４のスイッチ部は調光パターンの再生開始時間を遅らせる遅延時間（タイマ時間）を設定するためのものであって、例えば、０〜１２０分の範囲でアップキーＵＫ４及びダウンキーＤＫ４が押操作される毎に遅延時間が増減される。尚、第４のスイッチ部の隣には設定される遅延時間を表示するための表示素子（例えば、７セグの発光ダイオードなど）５０が配設されている。また、キーＫ５は第３のスイッチ部で選択された調光パターンの再生を開始、若しくは第４のスイッチ部で設定された遅延時間のカウントダウンを開始するためのトリガとなるものであり、その上方には調光パターンの再生中若しくは遅延時間のカウントダウン中と調光パターンの再生中に発光する発光ダイオード（表示素子）ＬＤ５０が配設されている。
【００２４】
制御部１はＣＰＵやＣＰＵが実行するプログラムを格納したメモリ等で構成され、当該メモリに格納されているプログラムをＣＰＵで実行することにより、照明負荷ＬＡ，ＬＢの調光制御を含む種々の機能を実現している。
【００２５】
ここで、本実施形態では照明負荷ＬＡ，ＬＢの調光比（消灯時を０％、定格点灯時を１００％としたときの光出力比＜実際は給電量の比＞）を２５６段階に分け、８ビットでデジタル表現される調光段階に変換している。各調光段階はそれぞれ異なる調光比に対応し、例えば図４に示すように高い（数値の大きい）調光段階ほど高い調光比（１００％に近い調光比）に対応する。記憶部４には、調光段階とオン時間ontime[x]との対応関係を示す第１のデータテーブル（図５参照）が記憶されており、制御部１は、操作入力受付部３の第１のスイッチ部で受け付ける調光比（調光段階）、若しくは後述するように調光パターンに設定された調光比（調光段階）に対応するオン時間ontime[x]にスイッチング素子をオンするように給電量調整部２Ａ，２Ｂを制御する。尚、図５に示す第１のデータテーブルでは、０〜２５５の調光段階をインデックス（ｉｎｄｅｘ）０〜２５５に対応させている。
【００２６】
次に、記憶部４に記憶される調光パターンについて説明する。調光パターンは、各調光段階（ｉｎｄｅｘ）とオン時間ontime[x]の継続時間t[x]との対応関係で表され、図６に示す第２のデータテーブルとして記憶部４に記憶されている。制御部１には一定周期のパルス信号を発生するクロックが設けられており、ＣＰＵでは調光パターンを再生する際にクロックが発生するパルス信号をカウントすることで経過時間を計時している。したがって、継続時間t[x]は制御部１のＣＰＵに入力する前記パルス信号のカウント数（割込み回数）で表現することができ、例えば、図７（ｂ）に示すように０から２５５の調光段階まで単調増加する調光パターンであれば、図７（ａ）に示すように各調光段階毎のオン時間ontime[x]として割込み回数（クロックのカウント数）が設定されている。但し、図７（ａ）に示す調光段階とオン時間ontime[x]の対応関係は単調減少の調光パターンにも該当するので、調光パターン毎の単調増加と単調減少の区別は別途記憶部４に記憶している管理テーブルで管理している。
【００２７】
このように調光段階と調光比（オン時間ontime[x]）の対応関係を示す第１のデータテーブル（図５）と、調光段階とオン時間ontime[x]の継続時間t[x]との対応関係を示す第２のデータテーブル（図７（ａ））とに分けて調光パターンを管理すれば、第１のデータテーブルを全ての調光パターンで共通に利用し、個々の調光パターンの違いは第２のデータテーブルにおける継続時間t[x]によって設定できるため、データを有効に利用して記憶部４を構成する半導体メモリの使用量を削減することができるという利点がある。
【００２８】
ここで、使用者の操作によって照明負荷ＬＡ（又はＬＢ）を低照度（例えば、調光段階index[25]）で調光点灯させている状況において、制御部１が、睡眠の誘導に適した漸減光の調光パターン（例えば、図８（ａ）に示すように調光段階index[127]から調光段階index[0]まで単調減少させる調光パターン）を再生する（当該調光パターンで照明負荷ＬＡ（又はＬＢ）を調光する）場合を想定する。このとき、図１５に示すように調光パターンＰ１の始期（開始時点）ｔ０において、それ以前の調光段階index[25]から調光パターンＰ１の始期の調光段階index[127]へ一気に変更すると、照明負荷ＬＡ（又はＬＢ）の光出力が急激に増大して使用者に違和感を覚えさせてしまう。一方、特許文献３に記載されている従来例のように、現在の調光段階index[25]から調光パターンＰ１の始期の調光段階index[127]まで調光段階を漸次増大した場合、使用者が違和感を覚えることを防止できたとしても、調光パターンＰ１の始期がｔ０からｔ１（＞ｔ０）にずれて（遅れて）しまい、それに伴って調光パターンＰ１の終期にも遅れが生じてしまうので、睡眠や目覚めを誘導するための時間が長くなってしまうという不都合が生じる。
【００２９】
そこで本実施形態では、図８（ｂ）に示すように記憶部４に記憶されている調光パターン（今の場合はＰ１）を読み出して照明負荷ＬＡ（又はＬＢ）を調光する際、調光パターンＰ１の始期における第１の調光段階index[127]と、調光パターンＰ１の終期における第２の調光段階index[0]と、調光パターンＰ１の調光を開始する直前の第３の調光段階index[25]とを比較し、第３の調光段階index[25]が第１の調光段階index[127]と第２の調光段階index[0]の間にある場合、始期（ｔ＝ｔ０）より調光パターンＰ１の調光段階が第３の調光段階index[25]と一致する時点ｔ１までは調光パターンＰ１に関係なく照明負荷ＬＡ（又はＬＢ）を第３の調光段階index[25]で調光し、且つ時点ｔ１以降は調光パターンＰ１に従って調光段階を変化させるように、制御部１が給電量調整部２Ａ（又は２Ｂ）を制御するようにしている。
【００３０】
ここで、調光パターンＰ１を再生する場合を例示し、制御部１の調光制御動作について、図９のフローチャートを参照して詳細に説明する。
【００３１】
制御部１は、遅延時間のカウントダウンが終了する、あるいは遅延時間がゼロに設定されている場合はキーＫ５が押操作されて操作入力受付部３から操作信号が入力されると、第３のスイッチ部で選択された調光パターンＰ１の再生を開始する。まず制御部１は、現在の調光段階（例えば、調光段階index[25]）を記憶部４に記憶し（ステップＳ１）、調光パターンＰ１の時間経過（クロックのカウント数）に応じた調光段階を第２のデータテーブルから取得し（ステップＳ２）、さらに、調光パターンＰ１の終期に達しているか否かを判定する（ステップＳ３）。終期に達していない場合、制御部１は、第２のデータテーブルから取得した調光パターンＰ１の調光段階が記憶部４に記憶した調光段階の値（＝index[25]）と一致しているか否かを判定し（ステップＳ４）、一致するまでは記憶部４に記憶した調光段階の値（＝index[25]）となるように給電量調整部２Ａ（又は２Ｂ）を制御して調光する（ステップＳ５）。一方、第２のデータテーブルから取得した調光パターンＰ１の調光段階が記憶部４に記憶した調光段階の値（＝index[25]）に一致したらそれ以降は、制御部１は、第２のデータテーブルから取得した調光パターンＰ１の調光段階となるように給電量調整部２Ａ（又は２Ｂ）を制御して調光する（ステップＳ６）。そして、調光パターンＰ１の終期に達すれば、制御部１は調光パターンＰ１の再生を終了する。
【００３２】
このように本実施形態によれば、調光パターンＰ１の始期において調光段階（調光比）が急激に変化しないために使用者に違和感を覚えさせることが無く、しかも、調光パターンＰ１の始期及び終期にずれ（遅れ）が生じないものである。
【００３３】
尚、調光パターンＰ１の再生開始前の調光段階は必ずしも一定である必要はなく、例えば、図８（ｃ）に示すように調光段階が徐々に上昇していたり、あるいは図８（ｄ）に示すように調光段階が徐々に下降していても構わない。また、調光パターンも漸減光の調光パターンＰ１に限定されるものではなく、図１０（ａ），（ｂ）に示すように睡眠中の使用者を快適に目覚めさせるための漸増光の調光パターンＰ２であっても構わない。
【００３４】
（実施形態２）
本実施形態では、特許文献３に記載されているように照明だけでなく音楽やベッドに横臥する使用者への圧刺激等を制御することで使用者の快適な睡眠や目覚めをサポートするシステムに照明調光装置Ａ’が組み込まれている点に特徴がある。
【００３５】
図１１に示すように、本実施形態の照明調光装置Ａ’は操作入力受付部３と表示部５を備えておらず、その代わりに、前記システムのマスタコントローラＭとの間で信号伝送を行う信号伝送部６を備えている。マスタコントローラＭは、ＣＰＵやメモリなどで構成される制御部１０と、電気的に書換可能な半導体メモリからなる記憶部１１と、押釦スイッチなどを有して使用者の操作入力を受け付ける操作入力受付部１２と、液晶表示器（ＬＣＤ）などの表示デバイス並びに当該表示デバイスのドライバ回路等を有する表示部１３と、照明調光装置Ａ’や音響装置（図示せず）などとの間で信号伝送を行う信号伝送部１４とを備えている。マスタコントローラＭの記憶部１１には、睡眠並びに目覚めに対応して照明や音楽、圧刺激などを経時的にどのように変化させるという制御内容（シナリオデータ）が記憶されている。マスタコントローラＭの制御部１０は、使用者が押釦スイッチ等を押操作することで操作入力受付部１２にシナリオデータを選択する操作入力が受け付けられると、照明調光装置Ａ’に対して、選択されたシナリオデータに対応する調光パターンの再生を実行するように指示する制御信号を信号伝送部１４から送信する。
【００３６】
一方、照明調光装置Ａ’では、マスタコントローラＭから送信された制御信号を信号伝送部６で受信すると、当該制御信号に応じて、制御部１が記憶部４に記憶されている調光パターンを読み出し、直ちに又は制御信号で指定された遅延時間後に当該調光パターンの再生を開始する。但し、調光パターンを再生する際の制御部１の動作は実施形態１と共通である。
【００３７】
このように本発明に係る照明調光装置Ａ’は、既存のシステムに組み込まれた場合にも、調光パターンの始期において調光段階（調光比）が急激に変化しないために使用者に違和感を覚えさせることが無く、しかも、調光パターンの始期及び終期にずれ（遅れ）が生じないという作用効果を奏するものである。但し、本実施形態の照明調光装置Ａ’にも実施形態１の照明調光装置Ａと同様に操作入力受付部３又は操作入力受付部３と表示部５の双方を備えるようにしても構わない。
【００３８】
（実施形態３）
本実施形態の照明調光装置Ａは、図１２に示すように給電量調整部２Ａ，２Ｂに対してそれぞれ動作電源を供給する電源供給部７Ａ，７Ｂを備えている。但し、電源供給部７Ａ，７Ｂを除く基本的な構成並びに動作は実施形態１と共通であるから、共通の構成要素には同一の符号を付して説明を省略する。
【００３９】
電源供給部７Ａ，７Ｂは、例えば、商用交流電源ＡＣから給電される交流電力より直流電力を作成して給電量調整部２Ａ，２Ｂに供給するとともに、制御部１の指示に応じて給電量調整部２Ａ，２Ｂへの電源供給を停止するものである。
【００４０】
制御部１は、全ての照明負荷ＬＡ，ＬＢが消灯状態（調光段階index[0]）の場合に電源供給部７Ａ，７Ｂに対して給電量調整部２Ａ，２Ｂへの電源供給を停止するように指示を与える。従って、電源供給部７Ａ，７Ｂによる電源供給が停止すれば、給電量調整部２Ａ，２Ｂには微少な電流さえも流れなくなるために消費電力を低減することができる。また、給電量調整部２Ａ，２Ｂへの電源供給を停止することに併せて、制御部１のＣＰＵをスタンバイモード（動作クロックの周波数を減少させたモード）に移行することで消費電力を低減するようにしても構わない。
【００４１】
ところで、照明調光装置Ａの施工時あるいは照明負荷の交換時に正常に調光できることを確認する（試験する）方法として、第１のスイッチ部のアップキーＵＫ１，ダウンキーＤＫ１、又は第２のスイッチ部のアップキーＵＫ２，ダウンキーＤＫ２を押操作して手動で調光比（調光段階）を変化させる方法がある。また、別の方法として、記憶部４に試験用の調光パターンＰ０を記憶しておき、操作入力受付部３で試験開始の操作入力が受け付けられたときに制御部１が試験用の調光パターンＰ０を再生することで自動的に試験を行う方法がある。試験用の調光パターンＰ０としては、例えば、図１４に示すように調光段階の中央値index[127]から開始して調光段階の下限値（最小値）index[0]まで漸減光した後、調光段階の上限値（最大値）index[255]まで漸増光するものが考えられる。
【００４２】
而して、本実施形態における制御部１は、試験用の調光パターンＰ０以外の調光パターンを再生したり、少なくとも何れか１つの照明負荷ＬＡ，ＬＢを調光点灯させる動作モード（以下、通常モードと呼ぶ。）と、全ての照明負荷ＬＡ，ＬＢを消灯させて給電量調整部２Ａ，２Ｂへの電源供給も停止する動作モード（以下、低消費電流モードと呼ぶ。）と、上述した試験用の調光パターンＰ０を再生する動作モード（以下、テストモードと呼ぶ。）とが択一的に切り換えられるようになっている。
【００４３】
次に、制御部１の３つの動作モード（通常モード、低消費電流モード、テストモード）がどのようにして切り換わるかについて、図１４の状態遷移図を参照して簡単に説明する。制御部１が通常モードにあるときに試験開始の操作入力が操作入力受付部３で受け付けられると通常モードからテストモードに切り換わり（イ）、上述した試験用の調光パターンＰ０の再生が行われる。そして、制御部１がテストモードにあるときに試験終了の操作入力が操作入力受付部３で受け付けられると、何れかの照明負荷ＬＡ，ＬＢが消灯していなければテストモードから通常モードに切り換わり（ロ）、全ての照明負荷ＬＡ，ＬＢが消灯していれば低消費電流モードに切り換わる（ハ）。また、制御部１が通常モードにあるときに全ての照明負荷ＬＡ，ＬＢが消灯状態になると低消費電流モードに切り換わる（ニ）。さらに、制御部１が低消費電流モードにあるときに少なくとも何れか１つの照明負荷ＬＡ，ＬＢが消灯状態でなくなれば低消費電流モードから通常モードに切り換わり（ホ）、試験開始の操作入力が操作入力受付部３で受け付けられると低消費電流モードからテストモードに切り換わる（ヘ）。但し、実施形態２で説明したように他のシステムに組み込まれている場合においては、試験開始又は試験終了の操作入力が操作入力受付部３で受け付けられる代わりに、マスタコントローラＭから試験開始又は試験終了の制御信号を信号伝送部６で受け取ったときに、制御部１が通常モード又は低消費電流モードからテストモード、あるいはテストモードから通常モード又は低消費電流モードに切り換わることになる。このように外部からのトリガ信号（マスタコントローラＭからの制御信号）によってテストモードから他のモードへ切り換えることができるため、不用意に行われた動作試験（試験用の調光パターンＰ０による照明負荷ＬＡ，ＬＢの調光）を強制的に中止することができる。
【００４４】
尚、照明調光装置Ａ’が操作入力受付部３を備える構成の場合、通常モードでは誤動作防止のために操作入力受付部３における操作入力の受付を無効とし、テストモードでは試験用の調光パターンＰ０の再生ではなく、施工時や交換時の確認方法として操作入力受付部３における操作入力を有効とするような動作としてもよい。
【符号の説明】
【００４５】
Ａ  照明調光装置
１  制御部（制御手段）
２Ａ，２Ｂ  給電量調整部（給電量調整手段）
３  操作入力受付部（操作入力受付手段）
４  記憶部（記憶手段）
６  信号伝送部（トリガ信号受信手段）
ＬＡ，ＬＢ  照明負荷
ＡＣ  商用交流電源
【図１】
2011082107.tif 000003
【図２】
2011082107.tif 000004
【図３】
2011082107.tif 000005
【図４】
2011082107.tif 000006
【図５】
2011082107.tif 000007
【図６】
2011082107.tif 000008
【図７】
2011082107.tif 000009
【図８】
2011082107.tif 000010
【図９】
2011082107.tif 000011
【図１０】
2011082107.tif 000012
【図１１】
2011082107.tif 000013
【図１２】
2011082107.tif 000014
【図１３】
2011082107.tif 000015
【図１４】
2011082107.tif 000016
【図１５】
2011082107.tif 000017